(57)【要約】【課題】利便性を損なうことなく、消費電力の増加を抑制する。【解決手段】本発明の情報機器は、第１の筐体に設けられた第１の表示部と、前記第１の表示部に対応し、前記第１の表示部の近傍に設けられ、周囲の照度を計測する第１の照度センサと、前記第１の筐体と開閉可能に連結された第２の筐体に設けられた第２の表示部と、前記第２の表示部に対応し、前記第２の表示部の近傍に設けられ、周囲の照度を計測する第２の照度センサと、前記第１の表示部および前記第２の表示部の表示中に、前記第１の照度センサにより計測された第１の照度と前記第２の照度センサにより計測された第２の照度との差分が所定の閾値以上となると、計測した照度が小さい照度センサに対応する表示部の表示を停止させる制御部と、を有する。【選択図】図１
2014222811.tif 000002
【特許請求の範囲】
【請求項１】
第１の筐体に設けられた第１の表示部と、
前記第１の表示部に対応し、前記第１の表示部の近傍に設けられ、周囲の照度を計測する第１の照度センサと、
前記第１の筐体と開閉可能に連結された第２の筐体に設けられた第２の表示部と、
前記第２の表示部に対応し、前記第２の表示部の近傍に設けられ、周囲の照度を計測する第２の照度センサと、
前記第１の表示部および前記第２の表示部の表示中に、前記第１の照度センサにより計測された第１の照度と前記第２の照度センサにより計測された第２の照度との差分が所定の閾値以上となると、計測した照度が小さい照度センサに対応する表示部の表示を停止させる制御部と、を有することを特徴とする情報機器。
【請求項２】
請求項１記載の情報機器において、
前記制御部は、前記第１の照度および第２の照度の少なくとも一方が予め定められた値以上であり、かつ、前記第１の照度と前記第２の照度との差分が前記所定の閾値以上となると、計測した照度が小さい照度センサに対応する表示部の表示を停止させることを特徴とする情報機器。
【請求項３】
情報機器の制御方法であって、
前記情報機器の第１の第１の筐体に設けられた第１の表示部に対応し、前記第１の表示部の近傍に設けられた第１の照度センサにより周囲の照度を計測し、
前記第１の筐体と開閉可能に連結された第２の筐体に設けられた第２の表示部に対応し、前記第２の表示部の近傍に設けられた第２の照度センサにより周囲の照度を計測し、
前記第１の表示部および前記第２の表示部の表示中に、前記第１の照度センサにより計測された第１の照度と前記第２の照度センサにより計測された第２の照度との差分が所定の閾値以上となると、計測した照度が小さい照度センサに対応する表示部の表示を停止させることを特徴とする制御方法。
【請求項４】
請求項３記載の制御方法において、
前記第１の照度および第２の照度の少なくとも一方が予め定められた値以上であり、かつ、前記第１の照度と前記第２の照度との差分が前記所定の閾値以上となると、計測した照度が小さい照度センサに対応する表示部の表示を停止させることを特徴とする制御方法。
【請求項５】
情報機器内のコンピュータに、
前記情報機器の第１の第１の筐体に設けられた第１の表示部に対応し、前記第１の表示部の近傍に設けられた第１の照度センサにより周囲の照度を計測する処理と、
前記第１の筐体と開閉可能に連結された第２の筐体に設けられた第２の表示部に対応し、前記第２の表示部の近傍に設けられた第２の照度センサにより周囲の照度を計測する処理と、
前記第１の表示部および前記第２の表示部の表示中に、前記第１の照度センサにより計測された第１の照度と前記第２の照度センサにより計測された第２の照度との差分が所定の閾値以上となると、計測した照度が小さい照度センサに対応する表示部の表示を停止させる処理と、を実行させるプログラム。
【発明の詳細な説明】
【技術分野】
【０００１】
本発明は、表示部を有する情報機器とその制御方法、および、プログラムに関する。
【背景技術】
【０００２】
携帯電話、スマートフォンなどの情報機器の中には、第１の筐体と、第１の筐体に可動連結された第２の筐体とからなり、それぞれの筐体に表示部が設けられているものがある。このような情報機器によれば、使用状況などに応じて、ユーザは情報機器の形態を変えて使用することができ、利便性が向上する。
【０００３】
上述したような、２つの表示部を有する情報機器においては、情報機器の使用中、常に２つの表示部それぞれで映像を表示し続けると、消費電力が増加してしまうため、周辺環境や情報機器の使用形態に応じて、表示部の表示を制御することで、消費電力の増加を抑制する技術が検討されている。
【０００４】
例えば、特許文献１（特開２０１１−１５５３９１号公報）には、第１の表示部が設けられた第１の筐体と、第１の筐体と連結され、第２の表示部が設けられた第２の筐体とからなる情報機器に周囲の明るさを計測する光センサを搭載し、光センサが計測した明るさが閾値未満である第１の状態では、第１の映像を第１の表示部で表示するとともに、第２の映像を第２の表示部で表示し、光センサが計測した明るさが閾値以上である第２の状態では、第１および第２の映像を第１の表示部で第１の状態よりも高い輝度で表示するとともに、第２の表示部の表示を停止する。
【０００５】
特許文献１に開示されている技術によれば、明るい場所では高輝度で映像が表示されるので、表示映像の視認性の低下を抑制することができるとともに、第２の表示部の表示は停止されるので、消費電力の増加を抑制することができる。
【０００６】
また、特許文献２（特開２０１０−１４０４１０号公報）には、第１の表示部が設けられた第１の筐体と、第１の筐体と開閉可能に連結され、第２の表示部が設けられた第２の筐体とからなる情報機器に角速度、加速度などを計測するセンサを設け、センサの計測結果から第１の表示部あるいは第２の表示部が重力方向（下方向）を向くか否かを判定し、下方向を向くと判定した表示部の表示を停止する技術が開示されている。
【０００７】
表示部が下方向を向いている場合、その表示部が机などの設置面と接するように情報機器が設置されている状態であることが考えられる。このような状態では、通常、下方向を向く表示部をユーザが見ることはないので、その表示部の表示を停止しても問題はない。そこで、特許文献２に開示されている技術のように、下方向を向く表示部の表示を停止することで、消費電力の増加を抑制することができる。
【０００８】
また、特許文献３（特開２００９−２２２９５１号公報）には、第１の表示部が設けられた第１の筐体と、第１の筐体と開閉可能に連結され、第２の表示部が設けられた第２の筐体とからなり、第１の筐体と第２の筐体とが閉じられた状態で第１の表示部と第２の表示部とが対向し、第１の筐体と第２の筐体とが折り返された状態で第１の表示部と第２の表示部とが略反対方向を向く情報機器において、第１の筐体と第２の筐体とが折り返されると、第１の表示部および第２の表示部のうち、ユーザが予め設定したいずれか一方の表示部の表示を停止する技術が開示されている。
【０００９】
第１の筐体と第２の筐体とが折り返された状態では、第１の表示部と第２の表示部とが略反対方向を向くため、ユーザは、第１の表示部および第２の表示部のうちどちらかしか見ていないと考えられる。そこで、特許文献３に開示されている技術のように、第１の筐体と第２の筐体とが折り返されると、第１の表示部および第２の表示部のうち一方の表示を停止することで、消費電力の増加を抑制することができる。
【先行技術文献】
【特許文献】
【００１０】
【特許文献１】特開２０１１−１５５３９１号公報
【特許文献２】特開２０１０−１４０４１０号公報
【特許文献３】特開２００９−２２２９５１号公報
【発明の概要】
【発明が解決しようとする課題】
【００１１】
特許文献１に開示されている技術においては、周囲の明るさに応じた表示部の表示の制御が行われるだけで、情報機器の使用形態に応じた表示部の表示の制御は行われていない。そのため、情報機器の使用形態によっては、特定の表示部をユーザが見ない可能性が高いにも関わらず、その特定の表示部が表示されたままとなり、消費電力の増加を十分に抑制できない場合がある。
【００１２】
また、特許文献２に開示されている技術においては、角速度、加速度などの計測結果に基づいて表示部が下方向を向くか否かを判定しているため、設置面が傾斜している場合には、設置面に接する表示部が下方向を向かず、その表示部が表示されたままとなってしまい、消費電力の増加を十分に抑制できない。
【００１３】
また、特許文献３に開示されている技術においては、ユーザが、第１の筐体と第２の筐体とを折り返したときに表示を停止するように設定された表示部が自身に対向するように第１の筐体と第２の筐体とを折り返してしまうと、ユーザに対向する表示部の表示が停止されてしまい、使い勝手が悪い。
【００１４】
本発明の目的は、利便性を損なうことなく、消費電力の増加を抑制することができる情報機器とその制御方法、および、プログラムを提供することにある。
【課題を解決するための手段】
【００１５】
上記目的を達成するために本発明の情報機器は、
第１の筐体に設けられた第１の表示部と、
前記第１の表示部に対応し、前記第１の表示部の近傍に設けられ、周囲の照度を計測する第１の照度センサと、
前記第１の筐体と開閉可能に連結された第２の筐体に設けられた第２の表示部と、
前記第２の表示部に対応し、前記第２の表示部の近傍に設けられ、周囲の照度を計測する第２の照度センサと、
前記第１の表示部および前記第２の表示部の表示中に、前記第１の照度センサにより計測された第１の照度と前記第２の照度センサにより計測された第２の照度との差分が所定の閾値以上となると、計測した照度が小さい照度センサに対応する表示部の表示を停止させる制御部と、を有する。
【００１６】
上記目的を達成するために本発明の情報機器の制御方法は、
情報機器の制御方法であって、
前記情報機器の第１の第１の筐体に設けられた第１の表示部に対応し、前記第１の表示部の近傍に設けられた第１の照度センサにより周囲の照度を計測し、
前記第１の筐体と開閉可能に連結された第２の筐体に設けられた第２の表示部に対応し、前記第２の表示部の近傍に設けられた第２の照度センサにより周囲の照度を計測し、
前記第１の表示部および前記第２の表示部の表示中に、前記第１の照度センサにより計測された第１の照度と前記第２の照度センサにより計測された第２の照度との差分が所定の閾値以上となると、計測した照度が小さい照度センサに対応する表示部の表示を停止させる。
【００１７】
上記目的を達成するために本発明のプログラムは、
情報機器内のコンピュータに、
前記情報機器の第１の第１の筐体に設けられた第１の表示部に対応し、前記第１の表示部の近傍に設けられた第１の照度センサにより周囲の照度を計測する処理と、
前記第１の筐体と開閉可能に連結された第２の筐体に設けられた第２の表示部に対応し、前記第２の表示部の近傍に設けられた第２の照度センサにより周囲の照度を計測する処理と、
前記第１の表示部および前記第２の表示部の表示中に、前記第１の照度センサにより計測された第１の照度と前記第２の照度センサにより計測された第２の照度との差分が所定の閾値以上となると、計測した照度が小さい照度センサに対応する表示部の表示を停止させる処理と、を実行させる。
【発明の効果】
【００１８】
本発明によれば、利便性を損なうことなく、消費電力の増加を抑制することができる
【図面の簡単な説明】
【００１９】
【図１】本発明の第１の実施形態の情報機器の構成を示すブロック図である。
【図２】図１に示す情報機器の外観の一例を示す図である。
【図３Ａ】図１に示す情報機器の形態の一例を示す図である。
【図３Ｂ】図１に示す情報機器の形態の一例を示す図である。
【図３Ｃ】図１に示す情報機器の形態の一例を示す図である。
【図４】図１に示す情報機器の動作を示すフローチャートである。
【図５Ａ】図１に示す情報機器の設置状態の一例を示す図である。
【図５Ｂ】図５Ａに示す情報機器の断面図である。
【図６Ａ】図１に示す情報機器の設置状態の一例を示す図である。
【図６Ｂ】図６Ａに示す情報機器の断面図である。
【図７】本発明の第２の実施形態の情報機器の構成を示すブロック図である。
【図８】図７に示す情報機器の動作を示すフローチャートである。
【発明を実施するための形態】
【００２０】
以下に、本発明を実施するための形態について図面を参照して説明する。
【００２１】
（第１の実施形態）
図１は、本発明の第１の実施形態の情報機器１００の構成を示すブロック図である。また、図２は、情報機器１００の外観の一例を示す図である。
【００２２】
なお、本発明に係る情報機器の具体例としては、携帯電話、スマートフォン、タブレット型あるいはノート型のパーソナルコンピュータ、ＰＤＡ（Ｐｅｒｓｏｎａｌ  Ｄａｔａ  Ａｓｓｉｔａｎｔｓ）、携帯型ゲーム機、電子書籍端末などがある。
【００２３】
情報機器１００は、表示部１１１，１２１と、照度センサ１１２，１２２と、制御部１３０と、を有する。表示部１１１は、第１の表示部の一例であり、表示部１２１は、第２の表示部である。また、照度センサ１１２は、第１の照度センサの一例であり、照度センサ１２２は、第２の照度センサの一例である。
【００２４】
表示部１１１は、図２に示すように、第１の筐体１１０の１つの面１１０ａに設けられており、制御部１３０の制御に従い、映像を表示する。
【００２５】
表示部１２１は、図２に示すように、第１の筐体１１０と連結された第２の筐体１２０の１つの面１２０ａに設けられており、制御部１３０の制御に従い、映像を表示する。
【００２６】
なお、第１の筐体１１０と第２の筐体１２０とは、開閉可能に連結されている。以下では、第１の筐体１１０と第２の筐体１２０とがなす角度を開閉角度と称する。
【００２７】
第１の筐体１１０と第２の筐体１２０とは、開閉角度が略０度から略３６０度の範囲で開閉可能に連結されている。したがって、情報機器１００は、図２に示すように、開閉角度が略１８０度である形態や、図３Ａ，３Ｂに示すように、開閉角度が略１８０度よりも大きい形態や、図３Ｃに示すように、開閉角度が略３６０度である形態、また、開閉角度が１８０度以下である形態など、種々の形態で使用可能である。
【００２８】
表示部１１１と表示部１２１とは、開閉角度が略１８０度である状態（図２）では略同じ方向を向き、開閉角度が略３６０度である状態（図３Ｃ）では略反対方向を向く。
【００２９】
照度センサ１１２は、表示部１１１に対応して設けられている。照度センサ１１２は、図２に示すように、表示部１１１の近傍に、表示部１１１と同じ方向に向かって設けられ、周囲の照度（外光量）を計測し、計測結果を制御部１３０に出力する。
【００３０】
照度センサ１２２は、表示部１２１に対応して設けられている。照度センサ１２２は、図２に示すように、表示部１２１の近傍に、表示部１２１と同じ方向に向かって設けられ、周囲の照度（外光量）を計測し、計測結果を制御部１３０に出力する。
【００３１】
制御部１３０は、表示部１１１および表示部１２１の種々の映像を表示させる。また、制御部１３０は、照度センサ１１２，１２２の計測結果に応じて、表示部１１１，１２１の表示を制御する。
【００３２】
次に、本実施形態の情報機器１００の動作について説明する。
【００３３】
図４は、情報機器１００の動作を示すフローチャートである。
【００３４】
制御部１３０は、表示部１１１および表示部１２１に映像を表示させると、照度センサ１１２から外光量の計測結果を取得する（ステップＳ１０１）。以下では、照度センサ１１２が計測した外光量を、外光量ａと称する。
【００３５】
次に、制御部１３０は、照度センサ１２２から外光量の計測結果を取得する（ステップＳ１０２）。以下では、照度センサ１２２が計測した外光量を、外光量ｂと称する。
【００３６】
次に、制御部１３０は、外光量ａと外光量ｂとの差分の絶対値が予め定められた閾値（以下、外光量差閾値）未満であるか否かを判定する（ステップＳ１０３）。
【００３７】
外光量ａと外光量ｂとの差分の絶対値が外光量差閾値未満であると判定した場合には（ステップＳ１０３：Ｙｅｓ）、制御部１３０は、表示部１１１および表示部１２１の表示を継続させる（ステップＳ１０４）。
【００３８】
外光量ａと外光量ｂとの差分の絶対値が外光量差閾値以上であると判定した場合には（ステップＳ１０３：Ｎｏ）、制御部１３０は、外光量ａが外光量ｂよりも大きいか否かを判定する（ステップＳ１０５）。
【００３９】
外光量ａが外光量ｂよりも大きいと判定した場合には（ステップＳ１０５：Ｙｅｓ）、制御部１３０は、計測した外光量が小さい照度センサ１２２に対応する表示部１２１の表示を停止させる（ステップＳ１０６）。
【００４０】
一方、外光量ａが外光量ｂ以下であると判定した場合には（ステップＳ１０５：Ｎｏ）、制御部１３０は、計測した外光量が小さい照度センサ１１２に対応する表示部１１１の表示を停止させる（ステップＳ１０７）。
【００４１】
このように、制御部１３０は、外光量ａと外光量ｂとの差分の絶対値が外光量差閾値未満である場合には、表示部１１１および表示部１２１の表示を継続させる。また、制御部１３０は、外光量ａと外光量ｂとの差分の絶対値が外光量差閾値以上である場合には、計測した外光量が小さい照度センサに対応する表示部の表示を停止させる。
【００４２】
なお、制御部１３０は、表示部１１１および表示部１２１に映像を表示させている間、上述したステップＳ１０１からステップＳ１０７までの処理を所定の時間間隔で繰り返す。
【００４３】
次に、情報機器１００の具体的な形態での動作について説明する。
【００４４】
図５Ａおよび図５Ｂに示すように、開閉角度が３００度程度であり、第１の筐体１１０の一辺および第２の筐体１２０の一辺が設置面に接するように情報機器１００が設置されている状態では、表示部１１１および表示部１２１の両方をユーザが見る可能性がある。なお、図５Ｂは、図５Ａの断面図である。
【００４５】
ここで、図５Ａ，５Ｂに示す情報機器１００の設置状態では、照度センサ１１２および照度センサ１２２はともに、設置面などで覆われていない。そのため、外光量ａ外光量ｂとの差分は小さい。
【００４６】
一方、図６Ａおよび図６Ｂに示すように、開閉角度が３００度程度であり、表示部１２１が設置面に接するように情報機器１００が設置されている状態では、表示部１１１のみをユーザは見て、表示部１２１は見ないと考えられる。なお、図６Ｂは、図６Ａの断面図である。
【００４７】
ここで、照度センサ１１２は、設置面などで覆われていないが、照度センサ１２２は、表示部１２１と同じ方向に向かって配置されているため、設置面で覆われてしまう。そのため、照度センサ１２２が計測する外光量ｂは小さくなり、外光量ａと外光量ｂとの差分は、図５Ａ，５Ｂに示す情報機器１００の設置状態での外光量ａと外光量ｂとの差分よりも大きくなる。
【００４８】
外光量差閾値としては、図５Ａ，５Ｂに示す情報機器１００の設置状態では、外光量ａと外光量ｂとの差分の絶対値が外光量差閾値未満となり、図６Ａ，６Ｂに示す情報機器１００の設置状態では、外光量ａと外光量ｂとの差分の絶対値が外光量差閾値未満となるような値が設定される。
【００４９】
こうすることで、図５Ａ，５Ｂに示す情報機器１００の設置状態では、表示部１１１および表示部１２１両方の表示が継続される。また、図６Ａ，６Ｂに示す情報機器１００の設置状態では、表示部１１１は表示が継続され、表示部１２１は表示が停止される。そのため、ユーザ見る可能性のある表示部の表示は停止させず、ユーザが表示を見ないと考えられる表示部の表示を停止させることができるので、利便性を損なうことなく、消費電力の低減を図ることができる。
【００５０】
このように、本実施形態の情報機器１００は、第１の筐体１００に設けられた表示部１１１と、表示部１１１に対応する照度センサ１１２と、第１の筐体１１０と開閉可能に連結された第２の筐体１２０に設けられた表示部１２１と、表示部１２１に対応する照度センサ１２２とを有し、照度センサ１１２が計測した照度と照度センサ１２２が計測した照度との差分が所定の閾値以上である場合には、計測した照度が小さい照度センサに対応する表示部の表示を停止させる。
【００５１】
そのため、ユーザが見る可能性のある表示部の表示は停止させず、ユーザが見ないと考えられる表示部の表示を停止させることができるので、利便性を損なうことなく、消費電力の増加を抑制することができる。
【００５２】
（第２の実施形態）
図７は、本発明の第２の実施形態の情報機器２００の構成を示すブロック図である。なお、図７において、図１と同様の構成については同じ符号を付し、説明を省略する。
【００５３】
本実施形態の情報機器２００は、第１の実施形態の情報機器１００と同様に、第１の筐体１１０と、第１の筐体１１０と開閉可能に連結された第２の筐体１２０とを有している。
【００５４】
図７に示す情報機器２００は、表示部１１１，１２１と、照度センサ１１２，１２２と、バックライトドライバ２１３，２２３と、ＲＯＭ（Ｒｅａｄ  Ｏｎｌｙ  Ｍｅｍｏｒｙ）２３０と、ＲＡＭ（Ｒａｎｄｏｍ  Ａｃｃｅｓｓ  Ｍｅｍｏｒｙ）２４０と、制御部２５０と、を有する。
【００５５】
表示部１１１は、第１の筐体１１０に設けられ、バックライト２１１と、ＬＣＤ（Ｌｉｑｕｉｄ  Ｃｒｙｓｔａｌ  Ｄｉｓｐｌａｙ）２１２と、を有する。
【００５６】
バックライト２１１は、バックライトドライバ２１３の制御に従い点灯し、ＬＣＤ２１２を照明する光を出射する。
【００５７】
ＬＣＤ２１２は、バックライト２１１から出射された光を制御部２５０の制御に従い変調して出力する。
【００５８】
表示部１２１は、第２の筐体１２０に設けられ、バックライト２２１と、ＬＣＤ２２２と、を有する。
【００５９】
バックライト２２１は、バックライトドライバ２２３の制御に従い点灯し、ＬＣＤ２２２を照明する光を出射する。
【００６０】
ＬＣＤ２２２は、バックライト２２１から出射された光を制御部２５０の制御に従い変調して出力する。
【００６１】
ＲＯＭ２３０は、制御部２５０が種々の処理を実行する上で必要な基本的なプログラムやパラメータなどを記憶する。
【００６２】
ＲＡＭ２４０は、制御部２５０が種々の処理を実行する上で一時的に必要なデータを記憶する。
【００６３】
制御部２５０は、バックライトドライバ２１３にバックライト２１１を点灯させるとともに、表示対象の映像のデータに応じてＬＣＤ２１２にバックライト２１１から出射された光を変調させることで、映像を表示させる。また、制御部２５０は、バックライトドライバ２２３にバックライト２２１を点灯させるとともに、表示対象の映像のデータに応じてＬＣＤ２２２にバックライト２２１から出射された光を変調させることで、映像を表示させる。
【００６４】
また、制御部２５０は、照度センサ１１２，１２２の計測結果に応じて、バックライトドライバ２１３にバックライト２１１の点灯を制御させ、バックライトドライバ２２３にバックライト２２１の点灯を制御させるとともに、ＬＣＤ２１２，２２１の駆動を制御する。
【００６５】
次に、本実施形態の情報機器２００の動作について説明する。
【００６６】
図８は、情報機器２００の動作を示すフローチャートである。
【００６７】
表示部１１１および表示部１２１に映像を表示させる場合、制御部２５０は、表示対象の映像のデータに応じて、ＬＣＤ２１２およびＬＣＤ２２２を駆動する。また、制御部２５０は、バックライトドライバ２１３にバックライト２１１を点灯させ、バックライトドライバ２２３にバックライト２２１を点灯させる。
【００６８】
次に、制御部２５０は、照度センサ１１２から外光量ａを取得し（ステップＳ２０１）、取得した外光量ａをＲＡＭ２４０に保存する（ステップＳ２０２）。
【００６９】
次に、制御部２５０は、ＲＡＭ２４０に保存した外光量ａに基づいて、バックライト２１１の輝度を補正する。具体的には、制御部２５０は、外光量ａに示される明るさの環境において、表示部１１１の表示がユーザにとって見やすい明るさとなるバックライト２１１の輝度を決定し、バックライト２１１の輝度を決定した値に補正する（ステップＳ２０３）。このように、照度センサ１１２の計測結果に基づいてバックライト２１１の輝度を決定することで、周囲の明るさに関わらず、表示部１１１の表示の視認性が低下するのを防ぐことができる。
【００７０】
次に、制御部２５０は、照度センサ１２２から外光量ｂを取得し（ステップＳ２０４）、取得した外光量ｂをＲＡＭ２４０に保存する（ステップＳ２０５）。
【００７１】
なお、制御部２５０は、上述したように、表示部１１１および表示部１２１に映像を表示させる間、図８に示す処理を所定の周期で繰り返す。ここで、制御部２５０は、既にＲＡＭ２４０に外光量ａ、外光量ｂが保存されている場合には、新たに読み出した外光量ａ、外光量ｂを上書きする。
【００７２】
次に、制御部２５０は、ＲＡＭ２４０に保存した外光量ｂに基づいて、バックライト２２１の輝度を補正する。具体的には、制御部２５０は、外光量ｂに示される明るさの環境において、表示部１２１の表示がユーザにとって見やすい明るさとなるバックライト２２１の輝度を決定し、バックライト２２１の輝度を決定した値に補正する（ステップＳ２０６）。このように、照度センサ１２２の計測結果に基づいてバックライト２２１の輝度を決定することで、周囲の明るさに関わらず、表示部１２１の表示の視認性が低下するのを防ぐことができる。
【００７３】
次に、制御部２５０は、ＲＡＭ２４０に保存されている外光量ａを読み出す（ステップＳ２０７）。
【００７４】
次に、制御部２５０は、外光量ａが予め定められた最小外光量閾値より大きいか否かを判定する（ステップＳ２０８）。ここで、最小外光量閾値としては、表示部が設置面に接するように情報機器２００が設置されている状態で、その表示部に対応する照度センサが計測する外光量より若干高い程度の、比較的低い値が設定される。なお、最小外光量閾値は、ＲＯＭ２３０に保存されている。
【００７５】
外光量ａが最小外光量閾値より大きいと判定した場合には（ステップＳ２０８：Ｙｅｓ）、制御部２５０は、ＲＡＭ２４０に保存されている外光量ｂを読み出す（ステップＳ２０９）。
【００７６】
次に、制御部２５０は、外光量ｂが最小外光量閾値より大きいか否かを判定する（ステップＳ２１０）。
【００７７】
外光量ｂが最小外光量閾値より大きいと判定した場合には（ステップＳ２１０：Ｙｅｓ）、制御部２５０は、表示部１１１，１２１の表示を継続する（ステップＳ２１１）。
【００７８】
上述したように、最小外光量閾値としては、表示部が設置面に接するように情報機器２００が設置されている状態で、その表示部に対応する照度センサが計測する外光量より若干高い程度の値が設定される。そのため、外光量ａおよび外光量ｂが共に最小外光量閾値より大きい場合には、例えば、図５Ａ，５Ｂに示すように、表示部１１１，１２１が共に設置面に接しないように情報機器２００が設置されている状態であると考えられる。このような状態では、表示部１１１，１２１の両方をユーザが見る可能性があるため、制御部２５０は、表示部１１１，１２１の表示を継続する。
【００７９】
外光量ａが最小外光量閾値以下であると判定した場合には（ステップＳ２０８：Ｎｏ）、制御部２５０は、ＲＡＭ２４０に記憶されている外光量ｂを読み出す（ステップＳ２１２）。
【００８０】
ステップＳ２１２において外光量ｂを読み出した後、あるいは、ステップＳ２１０において、外光量ｂが最小外光量閾値以下であると判定した場合には（ステップＳ２１０：Ｎｏ）、制御部２５０は、外光量ａと外光量ｂとの差分の絶対値が外光量差閾値未満であるか否かを判定する（ステップＳ２１３）。なお、外光量差閾値は、ＲＯＭ２３０に保存されている。
【００８１】
外光量ａと外光量ｂとの差分の絶対値が外光量差閾値未満であると判定した場合には（ステップＳ２１３：Ｙｅｓ）、制御部２５０は、ステップＳ２１１の処理に進む。
【００８２】
外光量ａと外光量ｂとの差分の絶対値が外光量差閾値以上であると判定した場合には（ステップＳ２１３：Ｙｅｓ）、制御部２５０は、外光量ａが外光量ｂよりも大きいか否かを判定する（ステップＳ２１４）。
【００８３】
外光量ａが外光量ｂよりも大きいと判定した場合には（ステップＳ２１４：Ｙｅｓ）、制御部２５０は、計測した外光量が小さい照度センサ１２２に対応する表示部１２１の表示を停止させる（ステップＳ２１５）。具体的には、制御部２５０は、ＬＣＤ２２２の駆動を停止するとともに、バックライトドライバ２２３にバックライト２２１の点灯を停止させる。
【００８４】
外光量ａが外光量ｂ以下であると判定した場合には（ステップＳ２１４：Ｎｏ）、制御部２５０は、計測した外光量が小さい照度センサ１１２に対応する表示部１１１の表示を停止させる（ステップＳ２１６）。具体的には、制御部２５０は、ＬＣＤ２１２の駆動を停止するとともに、バックライトドライバ２１３にバックライト２１１の点灯を停止させる。
【００８５】
なお、暗い環境下では、図５Ａ，５Ｂに示すように、表示部１１１，１２１が共に設置面に接しないように情報機器２００が設置されている状態でも、外光量ａおよび外光量ｂが共に最小外光量閾値以下となる可能性がある。このような場合、単に、照度センサが計測した外光量に基づいて表示部１１１あるいは表示部１２１が設置面に接しているか否かを判定すると、表示部１１１，１２１が共に設置面に接していると判定され、誤動作が生じるおそれがある。しかし、本実施形態のように、外光量ａおよび外光量ｂが共に最小外光量閾値未満であり、かつ、外光量ａと外光量ｂとの差分が外光量差閾値以上である場合に、計測した外光量が小さい照度センサに対応する表示部が設置面に接していると判定することで、上述したような誤動作が生じる可能性を低減することができる。
【００８６】
このように、本実施形態の情報機器２００は、第１の筐体１００に設けられた表示部１１１と、表示部１１１に対応する照度センサ１１２と、第１の筐体１１０と開閉可能に連結された第２の筐体１２０に設けられた表示部１２１と、表示部１２１に対応する照度センサ１２２とを有し、照度センサ１１２が計測した照度と照度センサ１２２が計測した照度との差が所定の閾値以上である場合には、計測した照度が小さい照度センサに対応する表示部の表示を停止させる。
【００８７】
そのため、ユーザが見る可能性のある表示部の表示は停止させず、ユーザが見ないと考えられる表示部の表示を停止させることができるので、利便性を損なうことなく、消費電力の低減を図ることができる。
【００８８】
なお、上述したようなバックライトの輝度補正処理を行うために、情報機器に照度センサが設けられることが多い。本発明においては、バックライトの輝度補正処理に用いられる照度センサを、情報機器の設置状態の検出にも流用している。そのため、情報機器の設置状態の検出のために新たなセンサを設ける必要がなく、部品点数の増加を抑制することができる。
【００８９】
本発明の情報機器において行われる方法は、コンピュータに実行させるためのプログラムに適用してもよい。また、そのプログラムを記憶媒体に格納することも可能であり、ネットワークを介して外部に提供することも可能である。
【符号の説明】
【００９０】
１００，２００    情報機器
１１１，１２１    表示部
１１２，１２２    照度センサ
１３０，２５０    制御部
２１１，２２１    バックライト
２１２，２２２    ＬＣＤ
２１３，２２３    バックライトドライバ
２３０    ＲＯＭ
２４０    ＲＡＭ
【図１】
2014222811.tif 000003
【図２】
2014222811.tif 000004
【図３Ａ】
2014222811.tif 000005
【図３Ｂ】
2014222811.tif 000006
【図３Ｃ】
2014222811.tif 000007
【図４】
2014222811.tif 000008
【図５Ａ】
2014222811.tif 000009
【図５Ｂ】
2014222811.tif 000010
【図６Ａ】
2014222811.tif 000011
【図６Ｂ】
2014222811.tif 000012
【図７】
2014222811.tif 000013
【図８】
2014222811.tif 000014